(57)【要約】【課題】同一の原稿の画像を、複数の設定に基づいて用紙に画像形成する際に、ユーザの意図したとおりの順序で各設定に応じた画像形成を行うことができる画像形成装置を提供する。【解決手段】用紙に画像を形成する画像形成部４と、画像形成部４により画像形成を行わせるための複数の設定を受け付ける操作パネル部４７と、操作パネル部４７により受け付けられた複数の設定に基づく画像形成の実行順序の設定を受け付ける実行順序ボタン７０９，７１０と、同一の原稿の画像に基づいて、操作パネル部４７により受け付けられた複数の設定にそれぞれ応じた画像形成を、実行順序ボタン７０９，７１０によって受け付けられた実行順序で画像形成部４により行わせる実行順序制御部１０１とを備えた。【選択図】図１
2009031669.tif 000002
【特許請求の範囲】
【請求項１】
用紙に画像を形成する画像形成部と、
前記画像形成部により画像形成を行わせるための複数の設定を受け付ける設定受付部と、
前記設定受付部により受け付けられた各設定に基づく画像形成の実行順序の設定を受け付ける実行順序受付部と、
同一の原稿の画像に基づいて、前記設定受付部により受け付けられた複数の設定にそれぞれ応じた複数の用紙への画像形成を、前記実行順序受付部によって受け付けられた実行順序で前記画像形成部により行わせる実行順序制御部と
を備えることを特徴とする画像形成装置。
【請求項２】
前記画像形成部により画像が形成された用紙に後処理を施す後処理部をさらに備え、
前記複数の設定には、前記後処理部の設定を含むこと
を特徴とする請求項１記載の画像形成装置。
【請求項３】
前記複数の設定は、前記画像形成を行う用紙の種類を設定する用紙設定、前記画像形成を前記用紙の片面に行うか両面に行うかを設定する用紙面設定、前記画像形成部により画像形成された用紙にステープルを施すか否かを設定するステープル設定、及び前記画像形成部により画像形成された用紙にパンチを施すか否かを設定するパンチ設定のうち、少なくとも一つを含むこと
を特徴とする請求項２記載の画像形成装置。
【請求項４】
前記設定受付部により受け付けられた複数の設定を一覧表示する表示部をさらに備えること
を特徴とする請求項１〜３のいずれか１項に記載の画像形成装置。
【請求項５】
前記表示部は、タッチパネルであって、表示画面の操作により前記一覧表示されている複数の設定のうち一つを選択する選択指示を受け付け、
前記設定受付部は、前記表示部によって受け付けられた選択指示により選択された設定の実行順序を受け付けること
を特徴とする請求項４記載の画像形成装置。
【請求項６】
前記複数の設定は、それぞれが複数の機能設定の組み合わせであること
を特徴とする請求項１〜５のいずれか１項に記載の画像形成装置。
【発明の詳細な説明】
【技術分野】
【０００１】
本発明は、種々の設定が可能な画像形成装置に関する。
【背景技術】
【０００２】
従来、複写機やプリンタ等の画像形成装置は、用紙の種類の設定や片面／両面印刷の切り替え設定等、種々の印刷条件の設定が可能となっている。このような画像形成装置を用いて、例えば同一の原稿を複数種類の印刷条件で複写する場合、印刷条件を変更する都度、再び原稿画像の読み取りを行わせたり、原稿の画像データを送信し直したりするのは不便である。そこで、同一の原稿画像に対して複数種類の印刷条件を設定可能とし、例えば１回読み取った原稿の画像を、普通紙で１０枚、ＯＨＰ用紙で１０枚といったように複写する複写機が提案されている（例えば、特許文献１，２，３参照。）。
【特許文献１】特開平６−２８２１４０号公報
【特許文献２】特開平１０−３１９７９０号公報
【特許文献３】特開２００２−２６８４６８号公報
【発明の開示】
【発明が解決しようとする課題】
【０００３】
ところで、上述のように、同一の原稿画像に対して設定された複数種類の印刷条件は、印刷出力の重要度や緊急度が異なっている場合がある。例えば、取引先への提出用に上質紙で３部印刷し、社内配布用に再生紙で１０部印刷する場合、取引先提出用の上質紙による印刷物の方が重要である。しかるに、上述の複写機では、同一原稿に対して上質紙の設定と再生紙の設定とをした場合、どちらが先に印刷されるか判らない。そのため、先に再生紙による複写が開始されてしまうと、再生紙による複写中に用紙切れ、トナー切れ、紙詰まり等のトラブルが発生した場合、複写機が停止してしまい、上質紙による複写出力が得られなくなってしまうという不都合があった。
【０００４】
また、このようなトラブルが発生しなくても、原稿枚数や複写部数が多かったり、両面印刷、パンチ、ステープルといった処理に時間のかかる設定がされていた場合には、先に実行が開始された再生紙による複写の終了に時間がかかる。例えば１００枚の原稿を、再生紙で１０部、両面印刷でパンチ、ステープル処理を施して出力しようとすると、印字速度５０ｐｐｍであった場合、上質紙による複写が開始されるまで２０分かかる、といったことも発生し得る。そのため、例えば取引先を待たせているときのように上質紙による複写を急いでいる場合に、再生紙による複写が先に実行されてしまうと、急いでいる複写物の出力が待たされてしまうという不都合があった。
【０００５】
本発明は、このような事情に鑑みて為された発明であり、同一の原稿の画像を、複数の設定に基づいて用紙に画像形成する際に、ユーザの意図したとおりの順序で各設定に応じた画像形成を行うことができる画像形成装置を提供することを目的とする。
【課題を解決するための手段】
【０００６】
本発明に係る画像形成装置は、用紙に画像を形成する画像形成部と、前記画像形成部により画像形成を行わせるための複数の設定を受け付ける設定受付部と、前記設定受付部により受け付けられた各設定に基づく画像形成の実行順序の設定を受け付ける実行順序受付部と、同一の原稿の画像に基づいて、前記設定受付部により受け付けられた複数の設定にそれぞれ応じた複数の用紙への画像形成を、前記実行順序受付部によって受け付けられた実行順序で前記画像形成部により行わせる実行順序制御部とを備える。
【０００７】
この構成によれば、実行順序制御部によって、同一の原稿の画像に基づいて、設定受付部により受け付けられた複数の設定にそれぞれ応じた画像形成が、実行順序受付部によって受け付けられた実行順序で画像形成部により実行される。これにより、同一の原稿の画像を、複数の設定に基づいて用紙に画像形成する際に、ユーザの意図したとおりの順序で各設定に応じた画像形成を行うことができる。
【０００８】
また、前記画像形成部により画像が形成された用紙に後処理を施す後処理部をさらに備え、前記複数の設定には、前記後処理部の設定を含むことが好ましい。
【０００９】
この構成によれば、設定受付部により受け付けられた後処理部の設定を含んで、ユーザの意図したとおりの順序で各設定に応じた画像形成を行うことができる。
【００１０】
また、前記複数の設定は、前記画像形成を行う用紙の種類を設定する用紙設定、前記画像形成を前記用紙の片面に行うか両面に行うかを設定する用紙面設定、前記画像形成部により画像形成された用紙にステープルを施すか否かを設定するステープル設定、及び前記画像形成部により画像形成された用紙にパンチを施すか否かを設定するパンチ設定のうち、少なくとも一つを含むことが好ましい。
【００１１】
用紙設定、用紙面設定、ステープル設定、及びパンチ設定は、画像形成の結果物の重要度に応じて設定が異なる可能性が高いので、このような設定に基づく画像形成の実行順序を設定可能とすることにより、利便性が向上する。
【００１２】
また、前記設定受付部により受け付けられた複数の設定を一覧表示する表示部をさらに備えることが好ましい。
【００１３】
この構成によれば、設定受付部により受け付けられた複数の設定が、表示部によって一覧表示されるので、ユーザは複数の設定を一見して確認することができる結果、利便性が向上する。
【００１４】
また、前記表示部は、タッチパネルであって、表示画面の操作により前記一覧表示されている複数の設定のうち一つを選択する選択指示を受け付け、前記設定受付部は、前記表示部によって受け付けられた選択指示により選択された設定の実行順序を受け付けることが好ましい。
【００１５】
この構成によれば、ユーザは、タッチパネルの表示画面に一覧表示されている複数の設定を見ながら、実行順序を設定しようとする設定を直接タッチすることにより、当該設定を選択すると共に、選択された設定の実行順序を設定することが可能となるので、利便性が向上する。
【００１６】
また、前記複数の設定は、それぞれが複数の機能設定の組み合わせであることが好ましい。
【００１７】
この構成によれば、それぞれ複数の機能設定が組み合わされた複数の設定に応じた画像形成の実行順序を、ユーザの意図したとおりの順序に設定することができるので、より複雑な設定に基づく画像形成処理の順序をユーザの意図したとおりに行うことができる結果、利便性が向上する。
【発明の効果】
【００１８】
このような構成の画像形成装置は、実行順序制御部によって、同一の原稿の画像に基づいて、設定受付部により受け付けられた複数の設定にそれぞれ応じた画像形成が、実行順序受付部によって受け付けられた実行順序で画像形成部により実行される。これにより、同一の原稿の画像を、複数の設定に基づいて用紙に画像形成する際に、ユーザの意図したとおりの順序で各設定に応じた画像形成を行うことができる。
【発明を実施するための最良の形態】
【００１９】
以下、本発明に係る実施形態を図面に基づいて説明する。なお、各図において同一の符号を付した構成は、同一の構成であることを示し、その説明を省略する。図１は、本発明の一実施形態に係る画像形成装置の一例である複写機の内部構成を概略的に示す側面図である。図２は、図１に示す複写機１の電気的構成の一例を示すブロック図である。なお、画像形成装置は、複写機に限られず、例えばプリンタやファクシミリ、あるいはこれらを複合した複合機等であってもよい。
【００２０】
複写機１は、本体部２と、本体部２の用紙搬出側、例えば左側に配設された後処理部３と、本体部２の上部に配設された原稿読取部５と、原稿読取部５の上方に配設された原稿給送部６と、本体部２の内部に配設された制御部１００とを有している。また、複写機１のフロント部には、略長方形の操作パネル部４７（設定受付部）が設けられている。
【００２１】
操作パネル部４７は、ＬＣＤ（Liquid Crystal Display）等からなる表示部４７３と、操作者から操作指示が入力される操作キー部４７６とを備える。操作キー部４７６は、スタートボタン４７１、及びテンキー４７２等を備える。
【００２２】
スタートボタン４７１は、コピー動作やスキャン動作等の各動作を開始させる指示を操作者から受け付ける。テンキー４７２は、コピー部数を指定する指示等を操作者から受け付けるキーである。
【００２３】
表示部４７３は、タッチパネルとＬＣＤとを組み合わせたタッチパネルユニット等から構成される。表示部４７３は、種々の操作画面を表示すると共に、操作者が表示画面（表示されている操作キー）を押圧することで種々の設定や機能の実行指令を入力することが可能とされている。
【００２４】
原稿読取部５は、ＣＣＤ（Charge Coupled Device）５１２及び露光ランプ５１１等からなるスキャナ５１と、ガラス等の透明部材により構成された原稿台５２及び原稿読取スリット５３とを備える。スキャナ５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２５】
原稿給送部６は、原稿載置部６０１、給紙ローラ６０２、原稿搬送部６０３及び原稿排出部６０４を備える。給紙ローラ６０２は、原稿載置部６０１にセットされた所要枚数分の原稿を一枚ずつ繰り出し、原稿搬送部６０３は、繰り出される原稿を順次スキャナ５１の読み取り位置に搬送する。スキャナ５１は搬送される原稿の画像を順次読み取り、読み取られた原稿は原稿排出部６０４に排出される。原稿搬送部６０３は、さらに原稿を表裏反転させて原稿読取スリット５３と対向する位置へ再搬送する用紙反転機構を備え、原稿の両面の画像を原稿読取スリット５３を介してスキャナ５１から読取可能にしている。
【００２６】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等をユーザが載置できるようになっている。
【００２７】
本体部２は、手差トレイ４６０、給紙カセット４６１−１，４６１−２，４６１−３、複数の給紙ローラ４６２、画像形成部４、排出口２０９、排出トレイ４８、及び制御部１００等を備える。画像形成部４は、像形成部４０、定着部４５、及び画像形成部４内の用紙搬送路中に設けられた種々の搬送ローラ等からなる用紙搬送部４６を備える。像形成部４０は、転写ローラ４１、露光装置４２、感光体ドラム４３、及び現像装置４４を備える。以下、給紙カセット４６１−１，４６１−２，４６１−３を総称して給紙カセット４６１と称し、個別の給紙カセットを示すときは、添え字を付して称する。
【００２８】
感光体ドラム４３は、矢印方向に回転しながら帯電装置（図示省略）によって一様に帯電される。露光装置４２は、原稿読取部５において読み取られた原稿の画像に応じて変調されたレーザ光を感光体ドラム４３上に走査し、ドラム表面に静電潜像を形成する。現像装置４４は、黒色の現像剤を感光体ドラム４３に供給してトナー画像を形成する。
【００２９】
一方、給紙ローラ４６２は、印刷用紙（用紙）が収納された手差トレイ４６０や給紙カセット４６１から印刷用紙を引き出し、転写ローラ４１まで給送する。転写ローラ４１は、搬送された印刷用紙に感光体ドラム４３上のトナー像を転写させ、定着部４５は、転写されたトナー像を加熱して印刷用紙に定着させる。その後、印刷用紙は、本体部２の排出口２０９から後処理部３に搬入される。また、印刷用紙は、必要に応じて排出トレイ４８へも排出される。
【００３０】
また、印刷用紙の両面に画像を形成する場合は、画像形成部４で用紙の一方の面に画像を形成した後、この印刷用紙を排出トレイ４８側の搬送ローラ４６３にニップされた状態とする。この状態で搬送ローラ４６３を反転させて印刷用紙をスイッチバックさせ、印刷用紙を用紙搬送路Ｌに送って画像形成部４の上流域に再度搬送し、画像形成部４により他方の面に画像を形成した後、排出口２０９又は排出トレイ４８に排出する。
【００３１】
後処理部３は、搬入口３０１、印刷用紙搬送部３０２、仕分け部３０３、用紙加工部３０４、搬出口３０５およびスタックトレイ３０６等を備える。この後処理部３には、印刷後に、ステープルやパンチなどの後処理が必要となった印刷用紙が、本体部２の排出口２０９から搬入口３０１に搬入され、印刷用紙搬送部３０２から仕分け部３０３に順次搬送され、適宜仕分け（ソート）や先端揃えが行われた後、用紙加工部３０４においてステープルやパンチなどの処理が行われ、搬出口３０５からスタックトレイ３０６へ排出される。スタックトレイ３０６は、搬出口３０５から搬出された印刷用紙の集積枚数に応じて矢印方向に上下動可能に構成されている。
【００３２】
また、制御部１００には、スキャナ５１で読み取られた文書データ等が一時的に保存される画像メモリ１４０と、大量の文書データを保存可能な記憶容量を有する大容量の記憶装置であるＨＤＤ（Hard Disk Drive）７４とが接続されている。このＨＤＤ７４には、ユーザからの画像形成実行指示が操作パネル部４７に受け付けられたときに、制御部１００からの制御信号に応じて、原稿読取部５で読み取られた原稿の画像のデータが蓄積されるようになっている。なお、画像データはスキャナ５１で読み取られたものに限られず、例えば図略の通信インターフェイス回路によって、通信回線を介して外部に接続されたパーソナルコンピュータ等の端末装置から送信された画像データを取得するようにしてもよい。
【００３３】
画像処理部１６０は、スキャナ５１による原稿読み取り時には、スキャナ５１から出力されるアナログ画像信号をデジタル画像に変換し、画質を向上させる画像処理を施した後、圧縮画像に変換する。この圧縮画像は画像メモリ１４０に書き込まれる。制御部１００は、画像メモリ１４０に書き込まれた圧縮画像を、文書管理の対象となるファイルを構成するデータとしてＨＤＤ７４に格納する。プリントアウト時には、原稿読取部５によって読み取られたデータや、ＨＤＤ７４から読み出されたデータ（圧縮画像）が画像メモリ１４０に書き出され、画像処理部１６０は、当該圧縮されたデータを伸張処理し、出力状態（レーザ露光又はＬＥＤ露光等の別など）に応じた画像処理を施し、例えばレーザ露光の場合には、レーザ信号（露光装置から発光されるレーザビーム光線を制御するための信号）にアナログ変調する。このアナログ変調された信号に基づいて画像形成部４でプリントアウトされる。
【００３４】
制御部１００は、装置全体の動作制御を司るもので、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成されている。そして、制御部１００は、ＲＯＭに記憶された制御プログラムを実行することにより、画像形成制御部１０１、及び実行順序制御部１０２として機能する。
【００３５】
画像形成制御部１０１は、操作パネル部４７によって受け付けられた各種設定や操作指示に応じて、画像形成部４及び後処理部３等、複写機１の各部の動作を制御して、手差トレイ４６０や給紙カセット４６１に収容された印刷用紙に原稿の画像を形成させる。
【００３６】
実行順序制御部１０２は、原稿読取部５によって読み取られた同一の原稿の画像に基づいて、操作パネル部４７により受け付けられた複数の設定にそれぞれ応じた画像形成及び後処理を、操作パネル部４７によって受け付けられた実行順序で、画像形成制御部１０１により行わせる。
【００３７】
次に、このように構成された複写機１の動作について説明する。図３は、図１に示す表示部４７３に表示される表示画面の一例を示す画面図である。図３に示す表示画面Ｇ１には、画面左側から順に、後処理部３の出力設定を受け付ける出力設定部７０１と、両面または片面印刷の選択設定を受け付ける両面選択設定部７０２と、印刷濃度の設定を受け付ける濃度設定部７０３と、印刷倍率（拡縮率）の設定を受け付ける倍率設定部７０４と、印刷用紙の選択設定を受け付ける用紙選択部７０５とが表示されている。
【００３８】
出力設定部７０１には、例えば用紙加工部３０４によるステープル処理の実行を指示するステープルボタン７３１、用紙加工部３０４によるパンチ処理の実行を指示するパンチボタン７３２、仕分け部３０３によるソート処理の実行を指示するソートボタン７３４が表示されている。
【００３９】
両面選択設定部７０２には、例えば、画像形成部４による片面印刷を指示する片面ボタン７３５と、画像形成部４による両面印刷を指示する両面ボタン７３６とが表示されている。用紙選択部７０５には、手差トレイ４６０を選択する用紙選択ボタン７３７、及び給紙カセット４６１−１，４６１−２，４６１−３をそれぞれ選択する用紙選択ボタン７３８，７３９，７４０が表示されている。また、用紙選択ボタン７３７，７３８，７３９，７４０には、用紙サイズを検出する図略の用紙サイズ検出センサによって検出された用紙サイズがそれぞれ表示されている。また、例えば給紙カセット４６１−１には、Ａ４上質紙が収容されており、給紙カセット４６１−３には、Ａ４再生紙が収容されている。
【００４０】
また、図３に示す表示画面Ｇ１には、同一の原稿画像に対して複数種類の設定を行う複数設定ボタン７０６が表示されている。
【００４１】
以下、複数の設定の一例として、ユーザが同一原稿のコピーを、例えば社内配布用に再生紙で１０部、両面印刷でパンチ処理とステープル処理とを施して印刷し、取引先提出用に上質紙で３部、片面印字でステープル処理を施して印刷したい場合について、説明する。まず、ユーザが、原稿を原稿載置部６０１に載置する。そして、図３に示す表示画面Ｇ１において、ユーザが、ステープルボタン７３１、パンチボタン７３２、ソートボタン７３４、両面ボタン７３６、及び用紙選択ボタン７４０（再生紙が収容されている給紙カセット４６１−３を選択）を押圧し、さらにテンキー４７２によって部数１０を入力することにより、社内配布用の「給紙カセット４６１−３、１０部、両面印刷、パンチ処理、ステープル処理」といった各機能設定が組み合わされた設定が画像形成制御部１０１によって取得され、例えばＨＤＤ７４に記憶される。
【００４２】
次に、ユーザが複数設定ボタン７０６を押圧すると、操作パネル部４７は、同一の原稿画像に対する新たな設定を受付可能となる。そして、ユーザが、ステープルボタン７３１、ソートボタン７３４、片面ボタン７３５、及び用紙選択ボタン７３８（上質紙が収容されている給紙カセット４６１−１を選択）を押圧し、さらにテンキー４７２によって部数３を入力することにより、取引先提出用の「給紙カセット４６１−１、３部、片面印字、ステープル処理」といった各機能設定が組み合わされた設定が画像形成制御部１０１によって取得され、例えばＨＤＤ７４に記憶される。
【００４３】
そして、ユーザが設定の入力が終わった旨の操作、例えば複数設定ボタン７０６を２回押圧する、といった操作を行うと、同一の原稿画像に対する設定として受け付けられた複数の設定が、表示部４７３によって一覧表示される。
【００４４】
図４は、複数の設定を一覧表示する一覧表示画面Ｇ２の一例を示す画面図である。図４に示す一覧表示画面Ｇ２には、社内配布用の「１０部：給紙カセット４６１−３：両面：：ステープル：パンチ」の設定７０７と、取引先提出用の「３部：給紙カセット４６１−１：片面：ステープル」の設定７０８とが一覧表示されている。そして、設定７０７，７０８の左には、実行順序を受け付ける実行順序ボタン７０９，７１０（実行順序受付部）がそれぞれ表示されている。
【００４５】
ユーザは、重要度の高い設定７０８を先に実行したい。そこで、実行順序ボタン７１０を押圧すると、実行順序制御部１０２によって、設定７０８を選択する選択指示が受け付けられる。そして、ユーザが例えばテンキー４７２の「１」を押下すると、実行順序制御部１０２によって、図５に示すように実行順序ボタン７１０に「１」が表示されて、設定７０８の実行順序が１番として受け付けられる。
【００４６】
同様に、ユーザが実行順序ボタン７０９を押圧すると、実行順序制御部１０２によって、設定７０７を選択する選択指示が受け付けられる。そして、ユーザが例えばテンキー４７２の「２」を押下すると、実行順序制御部１０２によって、図５に示すように実行順序ボタン７０９に「２」が表示されて、設定７０７の実行順序が２番として受け付けられる。
【００４７】
そして、ユーザがスタートボタン４７１を押下すると、実行順序制御部１０２によって、設定７０８、設定７０７の順に画像形成を実行すべき旨の指示が画像形成制御部１０１へ出力される。
【００４８】
そうすると、画像形成制御部１０１からの制御信号に応じて、原稿載置部６０１に載置されている原稿の画像が原稿読取部５によって読み取られ、その画像を表す画像データがＨＤＤ７４に記憶される。
【００４９】
そして、まず設定７０８に従って画像形成を行うべく、画像形成制御部１０１からの制御信号に応じて、給紙カセット４６１−１に収納されている上質紙が給紙ローラ４６２によって画像形成部４へ搬送される。さらに、画像形成制御部１０１からの制御信号に応じて、画像形成部４によって、ＨＤＤ７４に記憶されている画像データに基づき上質紙の片面に画像形成が行われて、この片面に画像形成された上質紙が排出口２０９から後処理部３へ搬送される。このようにして後処理部３に搬入された用紙が、画像形成制御部１０１からの制御信号に応じて、仕分け部３０３によって仕分けされ、用紙加工部３０４によってステープル処理が施されて、搬出口３０５からスタックトレイ３０６へ搬送される。
【００５０】
そして、このような処理が３回繰り返されて、スタックトレイ３０６に取引先提出用の「３部：給紙カセット４６１−１：片面：ステープル」の設定７０８に基づく印刷物が排出された後に、画像形成制御部１０１からの制御信号に応じて、設定７０７に従って画像形成を行うべく、画像形成制御部１０１からの制御信号に応じて、給紙カセット４６１−３に収納されている再生紙が給紙ローラ４６２によって画像形成部４へ搬送される。さらに、画像形成制御部１０１からの制御信号に応じて、画像形成部４によって、ＨＤＤ７４に記憶されている画像データに基づき再生紙の両面に画像形成が行われて、この両面に画像形成された再生紙が排出口２０９から後処理部３へ搬送される。
【００５１】
この場合、ユーザが実行順序ボタン７０９，７１０を用いて設定した順番どおり、すなわちユーザの意図したとおりの順序で、同一原稿の画像を設定７０７，７０８に応じて画像形成することができる。
【００５２】
これにより、優先順位が低い設定や印刷を急がない設定による画像形成が、優先順位の高い設定や印刷を急ぐ設定による画像形成より前に実行されてしまい、優先順位の高い設定による画像形成を行う前にトラブルが発生して優先順位の高い設定による画像形成を行うことができなくなったり、印刷を急ぐ設定による画像形成が待たされたりするおそれが低減される。
【図面の簡単な説明】
【００５３】
【図１】本発明の一実施形態に係る画像形成装置の一例である複写機の内部構成を概略的に示す側面図である。
【図２】図１に示す複写機の電気的構成の一例を示すブロック図である。
【図３】図１に示す表示部に表示される表示画面の一例を示す画面図である。
【図４】複数の設定を一覧表示する一覧表示画面の一例を示す画面図である。
【図５】複数の設定に実行順序が設定された状態の一覧表示画面の一例を示す画面図である。
【符号の説明】
【００５４】
１  複写機
２  本体部
３  後処理部
４  画像形成部
５  原稿読取部
６  原稿給送部
４０  像形成部
４６  用紙搬送部
４７  操作パネル部
５２  原稿台
５３  原稿読取スリット
１００  制御部
１０１  画像形成制御部
１０２  実行順序制御部
１４０  画像メモリ
１６０  画像処理部
３０２  印刷用紙搬送部
３０３  仕分け部
３０４  用紙加工部
４６０  手差トレイ
４６１  給紙カセット
４７１  スタートボタン
４７２  テンキー
４７３  表示部
４７４  複数設定キー
４７５  設定一覧表示キー
４７６  操作キー部
６０１  原稿載置部
７０１  出力設定部
７０２  両面選択設定部
７０３  濃度設定部
７０４  倍率設定部
７０５  用紙選択部
７０６  複数設定ボタン
７０７，７０８  設定
７０９，７１０  実行順序ボタン
７３１，７３２  パンチボタン
７３４  ソートボタン
７３５  片面ボタン
７３６  両面ボタン
７３７〜７４０  用紙選択ボタン
Ｇ１  表示画面
Ｇ２  一覧表示画面
【図１】
2009031669.tif 000003
【図２】
2009031669.tif 000004
【図３】
2009031669.tif 000005
【図４】
2009031669.tif 000006
【図５】
2009031669.tif 000007